(57)【要約】【課題】遊技機の設置の際に生じる隙間を極めて容易且つ短時間に塞げる塞ぎ板装置を提供する。【解決手段】塞ぎ板装置２０は、遊技機島１に設置した遊技機Ｐ，Ｓと遊技機Ｐ，Ｓの近傍に配設された部材１４との間に生じる隙間を塞ぐための板状の塞ぎ板２１の少なくとも上端と下端とに突設したピン２２を、隙間の近傍に配設された部材１４に取り付けられた支持部材２３，２４，２６によって回転可能に支持し、隙間を塞ぐ閉鎖位置と、隙間から退避した退避位置との間で塞ぎ板２１を回動可能なものとした。【選択図】図１
2018029872.tif 000002
【特許請求の範囲】
【請求項１】
遊技機島に設置した遊技機と当該遊技機の近傍に配設された部材との間に生じる隙間を塞ぐ塞ぎ板装置であって、
前記隙間を塞ぐための板状の塞ぎ板と、
前記塞ぎ板の少なくとも上端と下端とに突設したピンと、
前記隙間の近傍に配設された部材に取り付けられた、前記上端に突設した上端ピンと下端に突設した下端ピンとを回転可能に支持する支持部材と、から成り、
前記塞ぎ板は、前記隙間を塞ぐ閉鎖位置と、前記隙間から退避した退避位置との間で回動可能なものであることを特徴とする塞ぎ板装置。
【請求項２】
前記遊技機島は、遊技機を一台だけ設置するための単体島であることを特徴とする請求項１に記載の塞ぎ板装置。
【請求項３】
前記隙間の近傍に配設された部材は、前記遊技機からの遊技媒体を揚送する揚送装置の関連部材であり、
前記揚送装置の関連部材に前記支持部材を設けたことを特徴とする請求項２に記載の塞ぎ板装置。
【発明の詳細な説明】
【技術分野】
【０００１】
本発明は、遊技機島に設置した遊技機同士の間や遊技機と遊技機島端部との間に生じる隙間を塞ぐ塞ぎ板装置に関する。
【背景技術】
【０００２】
従来から、パチンコ台やスロット台等の遊技機は遊技機島に設置されている。ところがパチンコ台とスロット台とでは高さ、幅、奥行等の外寸が異なっている。このためパチンコ台を設置してある遊技機島にパチンコ台よりも幅の狭いスロット台を設置すると、幅が狭い分だけ隙間が生じてしまう。このためパチンコ台およびスロット台は、それぞれ専用の遊技機島に設置されることが多い。
【０００３】
しかし、パチンコ台とスロット台の何れでも設置できる兼用タイプの遊技機島であれば、設備費用の点や異なる機種の遊技機の配置の自由度の点を始めとして様々な利点が得られる。このため、パチンコ台とスロット台とのいずれをも設置できるようにした遊技機島もある。
【０００４】
このような遊技機島の例として特許文献１に示したような遊技機設置島台が有る。この遊技機設置島台は、遊技機設置島台の上部側に設けられ、パチンコ台またはスロット台の上端を支持する上ユニットと、遊技機設置島台の下部側に設けられ、スロット台またはパチンコ台の下端を支持する下ユニットとを備えている。上ユニットには上係止ピンが設けられており、下ユニットには下係止ピンが設けられている。
【０００５】
パチンコ台を遊技機設置島台に設置する場合には、遊技機設置島台の支柱に設けられた複数の係止溝のうち、パチンコ台の設置をするための位置に設けられている係止溝に上係止ピンおよび下係止ピンを係止する。これにより、上ユニットと下ユニットとの高さをパチンコ台の設置に合った高さにすることができる。
【０００６】
設置してあるパチンコ台をスロット台に入れ替える場合には、係止溝に係止している上係止ピンと下係止ピンとをスロット台の設置に合う位置にある係止溝に掛け替えて、上ユニットと下ユニットとの高さをスロット台の設置に合った高さにする。これにより、異なる機種の遊技機間の入れ替えができるようにしている。
【先行技術文献】
【特許文献】
【０００７】
【特許文献１】特開２０１４−４０９３号公報
【発明の概要】
【発明が解決しようとする課題】
【０００８】
しかしながら、パチンコ台とスロット台とでは高さが異なるのみならず、横幅も異なっており、スロット台の幅よりもパチンコ台の幅の方が広い。このため、パチンコ台からスロット台に入れ替える場合には隙間が生じてしまう。
【０００９】
この隙間は一般に塞ぎ板を使用して塞いでいるが、塞ぎ板は、ネジ等を用いて遊技機島に固定されていた。このため、塞ぎ板によって隙間を塞ぐための作業には工具が必要となり、また、塞ぎ板の取付作業には手間が掛かっていた。
【００１０】
本発明は、このような従来の技術が有する問題点に着目してなされたもので、遊技機の設置の際に生じる隙間を塞ぐ作業に工具を必要とすることなく、極めて容易且つ短時間に作業を完了させることができる塞ぎ板装置を提供することを目的としている。
【課題を解決するための手段】
【００１１】
かかる目的を達成するための本発明の要旨とするところは、次の各項の発明に存する。
［１］  遊技機島（１）に設置した遊技機（Ｐ，Ｓ）と当該遊技機（Ｐ，Ｓ）の近傍に配設された部材（１４）との間に生じる隙間を塞ぐ塞ぎ板装置（２０）であって、
前記隙間を塞ぐための板状の塞ぎ板（２１）と、
前記塞ぎ板（２１）の少なくとも上端と下端とに突設したピン（２２）と、
前記隙間の近傍に配設された部材（１４）に取り付けられた、前記上端に突設した上端ピン（２２）と下端に突設した下端ピン（２２）とを回転可能に支持する支持部材（２３，２４，２６）と、から成り、
前記塞ぎ板（２１）は、前記隙間を塞ぐ閉鎖位置と、前記隙間から退避した退避位置との間で回動可能なものであることを特徴とする塞ぎ板装置（２０）。
【００１２】
［２］  前記遊技機島（１）は、遊技機（Ｐ，Ｓ）を一台だけ設置するための単体島であることを特徴とする項［１］に記載の塞ぎ板装置（２０）。
【００１３】
［３］  前記隙間の近傍に配設された部材（１４）は、前記遊技機（Ｐ，Ｓ）からの遊技媒体を揚送する揚送装置の関連部材であり、
前記揚送装置の関連部材に前記支持部材（２３，２４）を設けたことを特徴とする項［２］に記載の塞ぎ板装置（２０）。
【００１４】
前記本発明は次のように作用する。  
［１］および［２］の塞ぎ板装置（２０）によれば、遊技機島（１）に設置した遊技機（Ｐ，Ｓ）を異なる種類の遊技機（Ｐ，Ｓ）と入れ替える際に、遊技機（Ｐ，Ｓ）の近傍に配設された部材（１４）との間に隙間が生じた場合、隙間から退避した退避位置に退避させておいた塞ぎ板（２１）を閉鎖位置まで手で回動させて隙間を閉じるようにするだけでよい。
【００１５】
また、隙間の近傍に配設された部材（１４）は、例えば項［３］に係る塞ぎ板装置（２０）のように遊技機（Ｐ）からの遊技媒体を揚送する揚送装置の関連部材（１４）である。この揚送装置の関連部材（１４）に前記の回動可能な塞ぎ板（２１）を支持するための支持部材（２３，２４，２６）を設けることにより、何らの手間も要することなく且つ美観に影響を与えることなく揚送装置およびその関連部材（１４）との間に生じる隙間を塞ぐことができる。
【発明の効果】
【００１６】
本発明にかかる塞ぎ板装置によれば、塞ぎ板装置の塞ぎ板を手で閉鎖位置まで回動させて隙間を塞いだり、遊技機の設置に障害とならない退避位置まで回動させたりできる。これにより、遊技機島に設置されている遊技機を異なる種類の遊技機に入れ替える際に、遊技機の横幅の違いによって隙間が生じたりしても、何らの手間を掛けずに対処することができる。
【図面の簡単な説明】
【００１７】
【図１】本発明の一実施の形態に係る塞ぎ板装置を備えた遊技機島を示す図であり、（Ａ）は遊技機島の平面図であり、（Ｂ）は遊技機島の正面図である。
【図２】本発明の一実施の形態に係る塞ぎ板装置を備えた遊技機島に図１に設置した遊技機とは種類の異なる遊技機を設置した状態を示す図であり、（Ａ）は遊技機島の平面図であり、（Ｂ）は遊技機島の正面図である。
【図３】図１における塞ぎ板装置を含む部分拡大図である。
【図４】図２における塞ぎ板装置を含む部分拡大図である。
【図５】図１における塞ぎ板装置の状態を示す平面図である。
【図６】図２における塞ぎ板装置の状態を示す平面図である。
【図７】図５において範囲Ｉ内に示した塞ぎ板装置を説明する図であり、（Ａ）は平面図であり、（Ｂ）は正面図である。
【図８】図６において範囲ＩＩ内に示した塞ぎ板装置を説明する図であり、（Ａ）は平面図であり、（Ｂ）は正面図である。
【発明を実施するための形態】
【００１８】
以下、図面に基づき本発明の好適な一実施の形態を説明する。  
各図は本発明の一実施の形態を示している。  
図１に示すように、本実施の形態では一つの遊技機島に一台の遊技機を設置するいわゆる単体島を例として説明する。  
図１の遊技機島１に設置されている遊技機は、遊技媒体としてメダルを使用して遊技を行ういわゆるスロット台Ｓである。遊技機島１の腰板基部には膳板１０が設けられている。遊技機島１の上部には幕板１１が設けられている。幕板１１と膳板１０の間となる位置にスロット台Ｓが設置されている。
【００１９】
図１において、スロット台Ｓの左側隣りにはサンド１２がスロット台Ｓと平行に配設されている。サンド１２は、パチンコ台Ｐで使用する遊技媒体を貸し出す装置である。更にその隣りには遊技機の支持柱との間の隙間を塞ぐ目板１３が設けられている。
【００２０】
スロット台Ｓの右側隣りには、塞ぎ板装置２０の塞ぎ板２１が設けられている。この塞ぎ板２１と遊技機島１の支持柱との間にはリフトカバー１４が設けられている。リフトカバー１４の奥には、パチンコ台Ｐの遊技媒体であるパチンコ玉を揚送する揚送装置が配設されている。リフトカバー１４によって遊技機島内部が見えないようになっており、内部の揚送装置に触れることができないようにしている。
【００２１】
塞ぎ板２１は、スロット台Ｓとリフトカバー１４との間に生じている隙間を塞いでいる。塞ぎ板２１は、長手方向が鉛直方向に延びる板状のものであり、スロット台Ｓ寄りの端辺である自由端が１８０°折り返されている。
【００２２】
図２は、遊技機島１に設置されている遊技機がパチンコ玉を使用して遊技を行ういわゆるパチンコ台Ｐであるものを示している。図１と同一符号を付したものは同一の構成部材である。パチンコ台Ｐはスロット台Ｓよりも横幅が広いので、パチンコ台Ｐの右側隣りはリフトカバー１４であり、塞ぎ板２１は見えていない。
【００２３】
遊技機島１に設置したパチンコ台Ｐをスロット台Ｓに入れ替えると、パチンコ台Ｐとスロット台Ｓの横幅の差に相当する隙間が生じる。したがって、この隙間を塞ぐための塞ぎ板２１の幅は、パチンコ台Ｐとスロット台Ｓの横幅の差に略等しいものとなっている。
【００２４】
次に、図３から図８までを参照しながら、塞ぎ板装置２０について詳細に説明する。  
図３は、図１における塞ぎ板装置を含む部分拡大図であり、図４は、図２における塞ぎ板装置を含む部分拡大図である。図５は、図１における塞ぎ板装置の状態を示す平面図であり、図６は、図２における塞ぎ板装置の状態を示す平面図である。また、図７は、図５において範囲Ｉ内に示した塞ぎ板装置を平面図（Ａ）と正面図（Ｂ）とで説明している。図８は、図６において範囲ＩＩ内に示した塞ぎ板装置を平面図（Ａ）と正面図（Ｂ）とで説明している。
【００２５】
塞ぎ板装置２０は、スロット台Ｓとリフトカバー１４との間に生じる隙間を塞ぐための板状の塞ぎ板２１をリフトカバー１４に回動可能に取り付けたものである。図７および図８に示したように、塞ぎ板２１は、鉛直方向に延びる板状のものであり、上端に後述するピン２２を貫通させる貫通孔を穿設した取付部２１ａが設けられている。リフトカバー１４にはブラケット２３が設けられており、このブラケット２３の内側にもう一つのブラケット２４が設けられている。
【００２６】
ブラケット２３およびブラケット２４それぞれには取付部２１ａと対面する上面部２３a、２４ａにピン２２を貫通させる貫通孔が穿設されている。ブラケット２３とブラケット２４との間隙にはピン２２を貫通させる貫通孔が穿設された弾性体の部材２５が介装されている。弾性体の部材２５は、例えばゴムワッシャ２５である。
【００２７】
また、取付部２１ａと上面部２３ａとの間にはスペーサ２６が介装されている。ピン２２は、これら取付部２１ａ、スペーサ２６、上面部２３ａ、ゴムワッシャ２５および上面部２４ａを貫通しており、上端面がカシメられている。
【００２８】
塞ぎ板装置２０は、上記のようにゴムワッシャ２５を介装してあるので、ピン２２が回転する方向に適度な摩擦力が生じる。これにより、塞ぎ板２１は、手で容易に回動させることができるとともに、僅かな力によって不用意に回動してしまうことがない。  
【００２９】
なお、図示省略したが、以上に説明したような構成と同様の構成が塞ぎ板２１の下端にも設けられている。このような構成により、塞ぎ板２１は、図５および図７に示した隙間を塞ぐ閉鎖位置と、図６および図８に示した隙間から退避した退避位置との間を自由に回動させることができる。
【００３０】
次に本実施の形態に係る塞ぎ板装置の作用を説明する。  
図２において、遊技機島１にはパチンコ台Ｐが設置されている。図２の紙面上でパチンコ台Ｐの左側には隙間なくサンド１２が配設されている。また、パチンコ台Ｐの右側には隙間なくリフトカバー１４が配設されている。このとき、塞ぎ板２１は、退避位置にある。
【００３１】
この遊技機島１からパチンコ台Ｐを外してスロット台Ｓに入れ替えるとスロット台Ｓの横幅がパチンコ台Ｐよりも狭いため、サンド１２とリフトカバー１４の間にスロット台Ｓを設置したときにスロット台Ｓの横幅とパチンコ台Ｐの横幅との差の分だけ隙間が生じる。スロット台Ｓの設置は、図１の紙面上でスロット台Ｓが左側のサンド１２との間に隙間が生じない位置に設置される。
【００３２】
このとき、隙間はスロット台Ｓとスロット台Ｓの右側のリフトカバー１４との間に生じる。スロット台Ｓを遊技機島１に設置したらスロット台Ｓの裏側から塞ぎ板装置２０の塞ぎ板２１を前方へ押すようにして退避位置から閉鎖位置まで回動させる。塞ぎ板２１の幅は、略スロット台Ｓの横幅とパチンコ台Ｐの横幅との差であるので、閉鎖位置にある塞ぎ板２１は、スロット台Ｓとリフトカバー１４との間に生じた隙間を塞ぐことができる。  
【００３３】
閉鎖位置にある塞ぎ板２１は、回動部分に配設したゴムワッシャ２５によって回転方向に抵抗力が生じるので、不用意に開いてしまうことがない。  
このように、塞ぎ板装置２０は、遊技機島１に設置されているパチンコ台Ｐをスロット台Ｓに入れ替えたときに生じる隙間を何らの手間も要することなく塞ぐことができ、且つ美観に影響を与えることもない。
【００３４】
以上、本発明の実施の形態を図面によって説明してきたが、具体的な構成は前述した実施の形態に限られるものではなく、本発明の要旨を逸脱しない範囲における変更や追加があっても本発明に含まれる。例えば、遊技機としてパチンコ台とスロット台を例にあげて説明したが、遊技機はこの２種類に限定されるものではない。
【００３５】
また、遊技機島として単体島を例に挙げて説明したが、複数台の遊技機を設置する遊技機島においても同様にして実施することができる。
【００３６】
また、塞ぎ板装置２０は、リフトカバー１４に取り付けられたものとして説明したが、リフトカバー１４に限られず、スロット台Ｓとの隙間の近傍に配設した部材であればよい。
【００３７】
また、塞ぎ板２１を閉鎖位置や退避位置からの回動を妨げて閉鎖位置や退避位置にロックするためのロック手段を設けてもよい。
【産業上の利用可能性】
【００３８】
塞ぎ板装置は、遊技機島に設置して遊技機と該遊技機の近傍にある構成部材との間に生じる場合が有ったり、生じない場合が有ったりする隙間を塞ぐためのものとしたが、遊技機島と遊技機に関連するものに限らず、部材の交換等によって隙間が生じる場合と生じない場合とが有るものに広く適用することができる。
【符号の説明】
【００３９】
１…遊技機島
１０…膳板
１１…幕板
１２…サンド
１３…目板
１４…リフトカバー
２０…塞ぎ板装置
２１…塞ぎ板
２１ａ…取付部
２２…ピン
２３…ブラケット
２４…ブラケット
２３ａ…上面部
２４ａ…上面部
２５…ゴムワッシャ
２６…スペーサ
Ｐ…パチンコ台
Ｓ…スロット台
【図１】
2018029872.tif 000003
【図２】
2018029872.tif 000004
【図３】
2018029872.tif 000005
【図４】
2018029872.tif 000006
【図５】
2018029872.tif 000007
【図６】
2018029872.tif 000008
【図７】
2018029872.tif 000009
【図８】
2018029872.tif 000010